(57)【要約】【課題】  交換ユニットの装着不完全状態、及び装着完了状態をユーザに確実に知らせるようにする。【解決手段】  レンズユニット４は、カメラボディ３のボディ側マウント部１０に着脱自在である。レンズユニット４を装着させるとき、バヨネット爪９ａ〜ｃをカメラボディ側マウント部１０のバヨネット爪１１ａ〜ｃの間に通してレンズ側マウント部８とボディ側マウント部１０を接触させると、クリックピン５３がマウント部１０の内部に押し込まれ、レンズユニット４の装着開始が検出される。この装着開始から所定時間内にレンズユニット４を所定角度回転させてバヨネット爪９ａ〜ｃをバヨネット爪１１ａ〜ｃに噛み合わせると、係合ピン５２がレンズ側マウント部８と係合して装着完了を検出し、ユーザに通知する。所定時間内に装着完了が検出されなければ装着不完全状態と判定し、ユーザに通知する。【選択図】        図２
2006276469.tif 000002
【特許請求の範囲】
【請求項１】
レンズユニットを含む複数の交換ユニットのいずれかが着脱自在に装着されるボディ側マウント部をカメラボディに設けたカメラシステムにおいて、
前記交換ユニットの装着完了を検出する検出手段を備え、前記検出手段による検出が行われたときに、装着完了を通知する通知手段を前記カメラボディに設けたことを特徴とするカメラシステム。
【請求項２】
レンズユニットを含む複数の交換ユニットのいずれかが着脱自在に装着されるボディ側マウント部をカメラボディに設けたカメラシステムにおいて、
前記交換ユニットの装着開始を検出する第１の検出手段と、前記交換ユニットの装着完了を検出する第２の検出手段と、前記第１の検出手段による装着開始の検出が行われてからの時間を計測する計時手段と、前記第１の検出手段による装着開始の検出が行われたことを契機として前記第２の検出手段による装着完了の検出の有無を監視し、前記計時手段による計測開始から所定時間が経過するまでの間に前記第２の検出手段による装着完了の検出が行われなかった場合に、前記交換ユニットの装着が不完全状態であることを通知する装着不完全通知手段とを前記カメラボディに設けたことを特徴とするカメラシステム。
【請求項３】
前記計時手段による計測開始から所定時間内に前記第２の検出手段による装着完了の検出が行われた場合に、前記交換ユニットが装着完了状態であることを通知する装着完了通知手段を前記カメラボディに設けたことを特徴とする請求項２記載のカメラシステム。
【請求項４】
前記通知手段は、前記カメラボディで前記ボディ側マウント部が配されている位置と同一面に設けられ、内部に組み込まれた光源の点灯又は点滅により表示を行う表示部であることを特徴とする請求項２又は３記載のカメラシステム。
【請求項５】
前記通知手段は、前記カメラボディで前記ボディ側マウント部が配されている位置とは反対側の面に設けられた画像表示手段と、前記ボディ側マウント部が配されている位置と
同一面に設けられ、内部に組み込まれた光源の点灯又は点滅により表示を行う表示部とからなることを特徴とする請求項２又は３記載のカメラシステム。
【請求項６】
前記交換ユニット側マウント部は、複数のバヨネット爪を有しており、前記ボディ側マウント部は、前記交換ユニット側マウント部を所定の位置に合わせて互いに接触する接触状態とした後、この接触状態のまま前記交換ユニットを所定角度回転させることによって前記交換ユニット側のバヨネット爪と噛み合うバヨネット爪を有しており、前記第１の検出手段は、前記交換ユニット側マウント部と前記ボディ側マウント部とが接触状態となったときにオン状態となる第１の検出スイッチであり、前記第２の検出手段は、前記交換ユニット側マウント部と前記ボディ側マウント部との接触状態から前記交換ユニットを前記カメラボディに対して所定角度回転したときにオン状態となる第２の検出スイッチであることを特徴とする請求項１ないし５いずれか記載のカメラシステム。
【請求項７】
前記レンズユニットは、撮影レンズ及び撮像素子を内蔵し、前記マウント部に設けた接続端子を介して前記カメラボディと電気的に接続することを特徴とする請求項１ないし６いずれか記載のカメラシステム。
【発明の詳細な説明】
【技術分野】
【０００１】
本発明は、レンズユニットを含む交換ユニットをカメラボディに装着可能なカメラシステムに関するものである。
【背景技術】
【０００２】
各種撮影レンズがカメラボディに着脱可能に装着されるレンズ交換型のカメラ（例えば、特許文献１）が従来より知られている。このレンズ交換型のカメラで、カメラボディに交換レンズを着脱自在に装着する構造としては、交換レンズ及びカメラボディにバヨネット爪を有するマウントをそれぞれ設け、交換レンズ側のマウントをカメラボディ側のマウントに所定位置で接触させ、その接触状態を保ったまま交換レンズを所定の角度位置まで回転させて互いのバヨネット爪を噛み合わせ、その位置で交換レンズをロックして装着状態にする構成が一般的である。
【０００３】
ところで、最近では、撮像素子の低価格化、画素数の増加が進んできていることから、従来の銀塩フイルム用のレンズ交換型カメラに代わって、レンズ交換型のデジタルカメラが普及してきている。このレンズ交換型のデジタルカメラでは、撮影レンズで結像した被写体像をＣＣＤなどの撮像素子で画像データに変換し、内蔵メモリやメモリカードなどの記録媒体に記録する。
【０００４】
このレンズ交換型のデジタルカメラでは、銀塩フイルム用の既存システムを流用したものではなく、レンズ交換型のデジタルカメラの新しい構成として、撮像素子を交換レンズ側に組み込むことが検討されている。これによって、交換レンズとカメラボディとを光学的に接続する必要がなくなり、交換レンズ側とカメラボディ側とを電気的に接続させるだけでよいため、構造を比較的簡易にすることができるという利点を得ることができる。
【０００５】
一方、レンズ交換型のデジタルカメラでは、カメラボディ側の接続端子と交換レンズ側の接点とを接触させて電気的に接続するため、交換レンズが装着状態に有ることをカメラボディ側で検出してから、交換レンズ及びカメラボディ間での電気信号の送受信や、電源の供給などを行うように制御しなければならない。そこで、特許文献２及び３に記載のカメラでは、交換レンズの装着動作に連動して変位する連動ピンと、この連動ピンの変位によって切り換わる検知スイッチをカメラ側マウント設けており、この検知スイッチのオン／オフ状態によって交換レンズの装着状態を検出している。
【特許文献１】特開平８−１７１１３０号公報
【特許文献２】特開２００１−１７７０２３号公報
【特許文献３】特開２００１−３０８５６９号公報
【特許文献４】特開２００１−３０８５６９号公報
【発明の開示】
【発明が解決しようとする課題】
【０００６】
しかしながら、上記特許文献２〜４に記載されたカメラでは、交換レンズが装着状態となったことは検出できるものの、装着が不完全な状態となってしまったとき、すなわち、バヨネット爪を有するマウント構造で、交換レンズとカメラボディのマウントを互いに接触状態とした後、交換レンズを回転させない、あるいは所定の角度位置の途中までしか回転させずに途中で止めてしまった状態になったとき、このように装着が不完全な状態となったときにこれを検出することはできなかった。よって、ユーザは交換レンズの装着が不完全であることに気付かず、撮影が不可能な状態に陥ってしまったり、電気信号がカメラボディ側に送信されてこないために故障が発生したと間違ってしまったりする可能性があった。特に交換レンズ側に撮像素子を設けたシステムの場合、撮像素子によって取得した画像データの電気信号もマウントに設けた接続端子を介して送信するため、正確な位置に装着しなければカメラボディ側に画像データが取り込まれないこととなるので、レンズユニットの装着が不完全な状態なのか、あるいは装着が完了した状態なのかをより確実に検出してユーザが分かるようにすることが必要である。
【０００７】
本発明は、上記事情を考慮してなされたもので、レンズユニットを含めた交換ユニットがカメラボディに装着するときに、装着が不完全な状態、及び装着が完了した状態をユーザが確認可能なカメラシステムを提供することを目的とする。
【課題を解決するための手段】
【０００８】
本発明のカメラシステムは、レンズユニットを含む複数の交換ユニットのいずれかが着脱自在に装着されるボディ側マウント部をカメラボディに設けたカメラシステムにおいて、前記交換ユニットの装着完了を検出する検出手段を備え、前記検出手段による検出が行われたときに、装着完了を通知する通知手段を前記カメラボディ又は前記交換ユニットに設けたことを特徴とする。
【０００９】
あるいは、本発明のカメラシステムは、前記交換ユニットの装着開始を検出する第１の検出手段と、前記交換ユニットの装着完了を検出する第２の検出手段と、前記第１の検出手段による装着開始の検出が行われてからの時間を計測する計時手段と、前記第１の検出手段による装着開始の検出が行われたことを契機として前記第２の検出手段による装着完了の検出の有無を監視し、前記計時手段による計測開始から所定時間が経過するまでの間に前記第２の検出手段による装着完了の検出が行われなかった場合に、前記交換ユニットの装着が不完全状態であることを通知する装着不完全通知手段とを前記カメラボディに設けたことを特徴とする。
【００１０】
なお、前記計時手段による計測開始から所定時間内に前記第２の検出手段による装着完了の検出が行われた場合に、前記交換ユニットが装着完了状態であることを通知する装着完了通知手段を前記カメラボディに設けたことを特徴とする。
【００１１】
さらにまた、前記通知手段は、前記カメラボディで前記ボディ側マウント部が配されている位置と同一面に設けられ、内部に組み込まれた光源の点灯又は点滅により表示を行う表示部であることが好ましい。あるいは、前記通知手段は、前記カメラボディで前記ボディ側マウント部が配されている位置とは反対側の面に設けられた画像表示手段と、前記ボディ側マウント部が配されている位置と同一面に設けられ、内部に組み込まれた光源の点灯又は点滅により表示を行う表示部とからなることが好ましい。
【００１２】
なお、前記交換ユニット側マウント部は、複数のバヨネット爪を有しており、前記ボディ側マウント部は、前記交換ユニット側マウント部を所定の位置に合わせて互いに接触する接触状態とした後、この接触状態のまま前記交換ユニットを所定角度回転させることによって前記交換ユニット側のバヨネット爪と噛み合うバヨネット爪を有しており、前記第１の検出手段は、前記交換ユニット側マウント部と前記ボディ側マウント部とが接触状態となったときにオン状態となる第１の検出スイッチであり、前記第２の検出手段は、前記交換ユニット側マウント部と前記ボディ側マウント部との接触状態から前記交換ユニットを前記カメラボディに対して所定角度回転したときにオン状態となる第２の検出スイッチであることが好ましい。さらに、前記レンズユニットは、撮影レンズ及び撮像素子を内蔵し、前記マウント部に設けた接続端子を介して前記カメラボディと電気的に接続することが好ましい。
【発明の効果】
【００１３】
本発明のカメラシステムでは、交換ユニットの装着完了を検出する検出手段を備え、検出手段による検出が行われたときに、装着完了を通知する通知手段をカメラボディ又は前記交換ユニットに設けているので、ユーザは交換ユニットの装着状態を知ることができる。
【００１４】
また、本発明のカメラシステムは、交換ユニットの装着開始を検出する第１の検出手段と、交換ユニットの装着完了を検出する第２の検出手段と、第１の検出手段による装着開始の検出が行われてからの時間を計測する計時手段と、第１の検出手段による装着開始の検出が行われたことを契機として第２の検出手段による装着完了の検出の有無を監視し、計時手段による計測開始から所定時間が経過するまでの間に前記第２の検出手段による装着完了の検出が行われなかった場合に、交換ユニットの装着が不完全状態であることを通知する装着不完全通知手段とをカメラボディに設けているので、装着完了、及び装着不完全状態が確実に検出され、装着不完全状態をユーザに知らせることができる。
【００１５】
さらに、計時手段による計測開始から所定時間内に前記第２の検出手段による装着完了の検出が行われた場合に、前記交換ユニットが装着完了状態であることを通知する装着完了通知手段を前記カメラボディに設けたことによって、装着完了、又は装着不完全状態をより確実に知らせることが可能となっている。
【００１６】
あるいは、前記通知手段は、前記カメラボディで前記ボディ側マウント部が配されている位置と同一面に設けられ、内部に組み込まれた光源の点灯又は点滅により表示を行う表示部となっているので、その表示部を見ながら、交換ユニットの装着を行うことができるので、より確実に装着完了、又は装着不完全状態をユーザに知らせることができる。
【００１７】
また、前記通知手段は、前記カメラボディで前記ボディ側マウント部が配されている位置とは反対側の面に設けられた画像表示手段と、前記ボディ側マウント部が配されている位置と同一面に設けられ、内部に組み込まれた光源の点灯又は点滅により表示を行う表示部とからなるので、ユーザがどのような向きでカメラボディを持っているときでも、画像表示手段、又は表示部のいずれかを視認可能であり、装着完了、又は装着不完全状態を確実にユーザに知らせることができる。
【００１８】
さらにまた、前記交換ユニット側マウント部は、複数のバヨネット爪を有しており、前記ボディ側マウント部は、前記交換ユニット側マウント部を所定の位置に合わせて互いに接触する接触状態とした後、この接触状態のまま前記交換ユニットを所定角度回転させることによって前記交換ユニット側のバヨネット爪と噛み合うバヨネット爪を有しており、前記第１の検出手段は、前記交換ユニット側マウント部と前記ボディ側マウント部とが接触状態となったときにオン状態となる第１の検出スイッチであり、前記第２の検出手段は、前記交換ユニット側マウント部と前記ボディ側マウント部との接触状態から前記交換ユニットを前記カメラボディに対して所定角度回転したときにオン状態となる第２の検出スイッチであることや、前記レンズユニットは、撮影レンズ及び撮像素子を内蔵し、前記マウント部に設けた接続端子を介して前記カメラボディと電気的に接続することから、交換ユニットの装着状態を確実に検出することが可能となるので、装着完了、又は装着不完全状態を確実にユーザに知らせることができる。
【発明を実施するための最良の形態】
【００１９】
以下、図面を参照して本発明の第１の実施形態を適用したデジタルカメラについて説明する。図１及び図２に示すように、デジタルカメラ２は、カメラボディ３とレンズユニット４とから構成される。カメラボディ３にはレンズユニット４が着脱自在であり、装着時にはカメラボディ３とレンズユニット４とが電気的に接続される。なお、図１は、レンズユニット４をカメラボディ３に装着した状態を、図２は、レンズユニット４を取り外した状態を示す。
【００２０】
レンズユニット４には、レンズ側マウント部８が設けられており、このレンズ側マウント部８には、３個のレンズ側バヨネット爪９ａ〜ｃが形成されている。カメラボディ３の前面には、ボディ側マウント部１０が設けられている。ボディ側マウント部１０には、レンズ側バヨネット爪９ａ〜ｃに対応したボディ側バヨネット爪１１ａ〜ｃが一体に形成されている。このボディ側バヨネット爪１１ａ〜ｃにレンズ側バヨネット爪９ａ〜ｃを噛み合わせることによってレンズユニット４をカメラボディ３に装着することができる。さらに、ボディ側マウント部１０の内側には、コイルバネ１３（図１２参照）によって前方に付勢されたマウント蓋１２が設けられており、レンズユニット非装着時におけるカメラボディ３内部への塵埃の侵入を防止する。
【００２１】
また、ボディ側マウント部１０の近傍には、後述するロック解除ボタン１４が設けられている。ロック解除ボタン１４は、レンズユニット４を取り外す際に操作されるものであり、押圧操作することによってレンズユニット４のロックを解除することができる。
【００２２】
カメラボディ３の上面には、撮影時に押圧操作されるレリーズボタン１６と、撮影／再生モードの切替え時に操作されるモード操作部１７とが設けられている。また、カメラボディ３の前面には、ストロボ１８、装着確認表示窓１９が設けられている。装着確認窓１９の内部には、ＬＥＤ９１ａ，９１ｂ（図１３参照）が設けられている。これらのＬＥＤ９１ａ，９１ｂは、後述するようにレンズユニット４の装着時にそれぞれ緑、橙色に発光して装着中、装着完了、または装着不完全状態のいずれかをユーザに知らせる。
【００２３】
カメラボディ３の後面には、詳しくは、図３に示すように、撮影画像や各種設定条件が表示されるＬＣＤ２０と、電源スイッチ２１とが設けられている。さらに、カメラボディ３は、スピーカ９３（図１３参照）を備えている。カメラボディ３の後面にはスピーカ９３から出力する音を外部に伝達するための小孔２３が複数設けられており、スピーカ９３は、小孔２３の内側に配置されている。
【００２４】
レンズユニット４は、図２に示すように、鏡胴部６及びレンズ側マウント部８からなる。鏡胴部６は、その内部に撮影レンズ２４及びＣＣＤ（撮像素子）２５、及びこのＣＣＤ２５を駆動させるための駆動回路が設けられた回路基板などが組み込まれている。
【００２５】
レンズ側マウント部８は、詳しくは図４及び図５に示すように、マウント本体３４、接点基板３５、押え板３６からなる。マウント本体３４は、鏡胴部６の後端部と一体に設けられている。このマウント本体３４は、ベース部材３９と、このベース部材３９の中央に位置する円筒部４０と、円筒部４０の外周から突出するバヨネット爪９ａ〜ｃとが一体に設けられている。なお、本実施形態においては、レンズ側マウント部８に３個のバヨネット爪９ａ〜ｃを設けているがバヨネット爪の個数はこれに限らず、２個や４個でもよい。また、バヨネット爪９ａ〜ｃのうち、バヨネット爪９ａには、その一端部に抜け止め突起９ｄが一体に形成されている。
【００２６】
ベース部材３９には、係合穴４１と、クリック溝４２が形成されている。係合穴４１は、図６の断面図に示すように、ベース部材３９の接触面３９ａから円柱状に切り欠かれており、レンズユニット４の装着時に後述するロックピン５２と係合する。クリック溝４２は、図７の断面図に示すように、回転方向Ｒに沿った断面が接触面３９ａから３角形状に切り欠かれて形成された三角溝であり、レンズユニット４の装着を行うときに後述するクリックピン５３と当接する。
【００２７】
接点基板３５は、図４に示すように、マウント本体３４とほぼ相似する形状で、マウント本体３４よりも一回り小さい寸法に形成されており、マウント本体３４の背面に形成された凹部３４ａに嵌め込まれる。この接点基板３５は、中央の円盤部４３と、この円盤部４４から突出する突出部４４ａ〜ｃからなる。突出部４４ａ〜ｃは、それぞれバヨネット爪９ａ〜ｃの内側に位置するように配されている。この突出部４４ａ〜ｃには、接点群４５ａ〜ｃがそれぞれ実装されている。接点群４５ａ〜ｃは、接点基板３５の中心に対して１２０°の等角度間隔で回転対称な位置に配されている。
【００２８】
接点群４５ａは、詳しくは図５に示すように、複数（本実施形態では８個）の接点４６ａ〜ｈからなり、レンズユニット４をカメラボディ３に装着させるときの回転方向Ｒに沿って並列に配置されている。これら接点４６ａ〜ｈのうち、接点４６ａ〜ｇまでは、隣り合う接点との角度ピッチが全てαで等間隔に配列されている。そして、回転方向Ｒの最後尾に位置する４６ｈだけは、隣り合う接点４６ｇとの角度ピッチβがその他の接点間の角度ピッチαよりも広く（α＜β）配列されている。また、接点基板３５は、押え板３６とマウント本体３４との間に挟み込まれ、ネジ４７によって共締めされることによって固定されており、図示しないフレキシブル基板などによってＣＣＤ２５の駆動回路基板と電気的に接続されている。なお、接点群４５ａ〜ｃは全て同様の構成であり、残りの接点群４５ｂ，４５ｃについても同様に接点４６ａ〜ｈからそれぞれ構成されている。
【００２９】
ボディ側マウント部１０は、詳しくは図８及び図９に示す構成となっており、ベース部材５０、及びこのベース部材５０と一体に形成されたバヨネット爪１１ａ〜ｃからなる。なお、図８においては、図面の煩雑化を防ぐため、マウント蓋１２を後退した状態で図示しているが、通常時はマウント蓋１２がベース部材５０中央部の開口部を塞ぐように位置し、内部が露呈しないようになっている。また、図８においてはマウント部１０の内側を示すためにバヨネット爪１１ｃの一部を切り欠いて図示している。
【００３０】
ベース部材５０は、円環状に形成されており、カメラボディ３の外装カバー３ａにネジ止めなどによって固定されている。バヨネット爪１１ａ〜ｃはベース部材５０の内周面から突出するように配されている。さらにボディ側マウント部１０には、端子基板５１、ロックピン５２、クリックピン５３が設けられている。
【００３１】
レンズユニット４をカメラボディ３に装着させるときには、レンズ側バヨネット爪９ａ〜ｃを、ボディ側バヨネット爪１１ａ〜ｃの間に形成される溝１５ａ〜ｃの位置に合わせて挿入する。これにより、ベース部材３９の背面（接触面）３９ａとベース部材５０の前面（接触面）５０ａが接触する。そしてこの接触状態を保持したまま、レンズユニット４を反時計方向（回転方向Ｒ）に沿って所定角度回転させると、レンズ側バヨネット爪９ａ〜ｃとボディ側バヨネット爪１１ａ〜ｃが互いに噛み合ってレンズユニット４がカメラボディ３に装着される。なお、このレンズユニット４をカメラボディ３に装着させる時に所定角度回転させたとき、抜け止め突起９ｄが、マウント側バヨネット爪１１ａと接触してレンズユニット４の回転を規制する。
【００３２】
端子基板５１は、ベース部材５０の背面側に配置されている。この端子基板５１は、詳しくは図１０に示すように、中央にベース部材１０に合わせた開口部５１ａが形成されており、この開口部５１の付近に端子群５４ａ〜ｃが実装されている。端子群５４ａ〜ｃは、それぞれバヨネット爪１１ａ〜ｃの位置に合わせて配置されており、ボディ側マウント部１０を正面から見たとき、バヨネット爪１１ａ〜ｃに重なって隠れるようになっている。
【００３３】
端子群５４ａは、複数（本実施形態では８個）の接続端子５５ａ〜ｈからなり、回転方向Ｒに沿って並列に端子基板５１に固定されている。この接続端子５５ａ〜ｈは、上述した、レンズ側マウント部８の接点４６ａ〜ｈに対応する位置に配されている。すなわち、レンズユニット４がカメラボディ３に装着状態のとき、接続端子５５ａ〜ｈは、接点４６ａ〜ｈに接触するようになっている。さらに、接続端子５５ａ〜ｈのうち、接続端子５５ａ〜ｇまでは、隣り合う接続端子との角度ピッチが全てαで等間隔に配列されている。そして、回転方向Ｒの最後尾に位置する接続端子５５ｈだけは、隣り合う接続端子５５ｇとの角度ピッチβがその他の接点間の角度ピッチαよりも広くなっている。なお、端子群５４ａ〜ｃは全て同様の構成であり、残りの端子群５４ｂ，５４ｃも同様に接続端子５５ａ〜ｈから構成されており、レンズ側マウント部８の接点４６ａ〜ｈに対応する位置に配されている。
【００３４】
ロックピン５２は、詳しくは図１１及び図１２に示すように、ベース部材５０に形成されたガイド穴５５から出没自在に設けられており、抜け止め突出部５２ａ、及び連結溝５２ｂが形成されている。抜け止め突出部５２ａは、ベース部材５０の背面５０ｂと接触し、ロックピン５２が離脱しないようにする。
【００３５】
ロックピン５２の連結溝５２ｂには、ロック解除ボタン１４と一体に形成された連結部５６が係合する。これによって、ロックピン５２とロック解除ボタン１４とは一体となって前後方向に移動する。また、ロック解除ボタン１４は、その背面側に押圧軸５９が一体に形成されており、この押圧軸５９は、付勢バネ５８が挿通されているとともに、外装カバー３ａに固着された支持部材６０に支持されている。ロック解除ボタン１４及びロックピン５２は、付勢バネ５８からの付勢を受けて前方に押し付けられる。これによってロックピン５２は、ベース部材５０から前方に突出し、ロック解除ボタン１４は、外装カバー３ａの表面から突出する。
【００３６】
支持部材６０の後方には、第１リーフスイッチ（第１検出手段）６１が配置されている。この第１リーフスイッチ６１は、２枚の金属接片６１ａ，６１ｂが重なって構成されており、この金属接片６１ａ，６１ｂが互いに接触したときオン状態となる。
【００３７】
レンズユニット４をカメラボディ３に装着するときに、レンズ側マウント部８のベース部材３９と、ボディ側マウント部１０のベース部材５０とを接触状態とすると、ロックピン５２は、ベース部材３９からの押圧を受け、付勢バネ５８の付勢に抗してガイド穴５５の内部へ後退する。そしてこのロックピン５２が後退したとき、押圧軸５９が金属接片６１ａ，６１ｂを押圧するので、金属接片６１ａ，６１ｂが互いに接触して第１リーフスイッチ６１がオン状態となる。そして、ベース部材３９，５０の接触状態が保たれたまま、レンズユニット４が回転方向Ｒに沿って回転されると、ロックピン５２の位置にレンズ側マウント部８の係合穴４１が移動してくる。ロックピン５２の位置に係合穴４１が到達すると、ロックピン５２は、付勢バネ５８の付勢によってガイド穴５５から突出し、係合穴４１と係合する。これによって、レンズユニット４はカメラボディ３にロックされ、完全な装着状態となる。
【００３８】
クリックピン５３は、ベース部材５０に形成されたガイド穴６８から出没自在に設けられており、抜け止め突出部５３ａ、及び押圧軸５３ｂが一体に形成されている。抜け止め突出部５３ａは、ベース部材５０の背面５０ａと接触し、クリックピン５３が離脱しないようにする。
【００３９】
クリックピン５３の押圧軸５３ｂは、付勢バネ６４が挿通されているとともに、外装カバー３ａに固着された支持部材６５に支持されている。クリックピン５３は、付勢バネ６４からの付勢を受けて前方に押し付けられ、ベース部材５０から前方に突出する。支持部材６５の後方には、第２リーフスイッチ（第２検出手段）６６が配置されている。この第２リーフスイッチ６６は、２枚の金属接片６６ａ，６６ｂが重なって構成されており、この金属接片６６ａ，６６ｂが互いに接触したときオン状態となる。
【００４０】
レンズユニット４をカメラボディに装着するときに、レンズ側マウント部８のベース部材３９と、ボディ側マウント部１０のベース部材５０とを接触状態とすると、クリックピン５３も上述のロックピン５２と同様に、ガイド穴６３の内部へ後退し、押圧軸５３ｂが金属接片６６ａ，６６ｂを押圧するので、第２リーフスイッチ６６がオン状態となる。そして、ベース部材３９，５０の接触状態が保たれたまま、レンズユニット４が回転方向Ｒに沿って回転されると、クリックピン５３の位置にレンズ側マウント部８のクリック溝４２が移動してくる。クリックピン５３の位置にクリック溝４２が到達すると、クリックピンは、付勢バネ６４の付勢によってガイド穴５５から突出し、クリック溝４２に当接する。これによって、レンズユニット４を装着するとき、ユーザの指にクリック感を与えることができる。
【００４１】
図１２にカメラシステム２の電気的構成を示す。撮影レンズ２４の後方には、ＣＣＤ２５が配置されており、ＣＣＤ２５の前方には、シャッタ機構や、絞り機構（図示せず）などが配置されている。
【００４２】
ＣＣＤ２５は、ＣＣＤドライバ７３に接続されており、ＣＣＤドライバ７３を介してレンズユニット用システム制御部７１（以下、システム制御部７１）によって駆動を制御される。ＣＣＤ２５は、光学的な被写体画像を電気的な撮像信号に変換して出力する。撮像信号はアンプ７４で適当なレベルに増幅された後、Ａ／Ｄ変換回路７５によってデジタル変換されて画像データとなる。この画像データは、シリアルドライバ７６を介してカメラボディ３側へと送信される。システム制御部７１では、カメラ本体用システム制御部８５（以下、システム制御部８５）からの指令に基づいてレンズユニット４側の撮影処理を管制している。
【００４３】
レンズユニット４からの画像データは、シリアルドライバ７７を介してメモリ７８に書き込まれる。信号処理部６９は、メモリ７８から画像データを読み出し、階調変換、ホワイトバランス補正、γ補正等の各種画像処理を施す。画像処理が施された画像データはＬＣＤドライバ７０へ入力され、ＬＣＤ２０に画像として表示される。撮影された画像はＬＣＤ２０にスルー画として表示される。モード操作部１７を操作して再生モードに設定すると、記録メディア８３に記録した画像をＬＣＤ２０に表示したり、撮影設定条件をＬＣＤ２０に表示することができる。
【００４４】
レリーズボタン１２が押圧操作されたときには、メディアコントローラ８２の制御によって、画像処理が施された画像データが記録メディア８３に記録される。また、レリーズボタン１６が押圧操作されると、撮影環境からの光量に応じてストロボ１８が駆動される。システム制御部８５は、システム制御部７１に指令を送るとともに、カメラ本体側の撮影処理、画像表示処理、記録処理等を管制している。システム制御部８５には、レリーズボタン１６、モード操作部１７、電源スイッチ２１が接続されている。
【００４５】
また、カメラボディ３にはバッテリ８６が配置され、カメラボディ３の各部に電力を供給している。さらにまた、レンズユニット４はサブバッテリ８７を備えており、接点９ａ〜ｃ、接続端子１１ａ〜ｃを介してカメラボディ３側のメインバッテ８６と、レンズユニット４側のサブバッテリ８７とが接続され、メインバッテリ８６からサブバッテリ８７に電力が供給され、さらにサブバッテリ８７からレンズユニット４の各部に電力が供給される。
【００４６】
さらに、カメラボディ３には、第１及び第２リーフスイッチ６１，６６とともに、レンズユニット４の装着を検出する装着検出部８９が設けられている。装着検出部８９は、端子群１１ａ〜ｃを構成する接続端子５５ｈと接続されており、端子群１１ａ〜ｃがレンズユニット４側の接点群９ａ〜ｃと完全に接触したときに、サブバッテリ８７の電位を検出してレンズユニット４が装着状態であることをシステム制御部８５に送信する。なお、この接点群９ａ〜ｃが接続端子１１ａ〜ｃと完全に接触した状態とは、接点群９ａ〜ｃを構成する接点４６ａ〜ｈと、これに対応する端子群１１ａ〜ｃの接続端子５５ａ〜ｈが全て接触状態となることである。すなわち、装着検出部８９は、回転方向Ｒの最後尾に位置する接点４６ｈと、接続端子５５ｈとが互いに接触した状態となった時点でレンズユニット４と電気的に接続され、装着状態を検出することができる。なお、このように装着状態の検出に使用される接点４６ｈ及び接続端子５５ｈは、上述したように、他の接点間及び端子間よりも角度ピッチが広くなっている。これによって、接点４６ｈと接続端子５５ｈが接続されたときは、他の接点４６ａ〜ｇ及び接続端子５５ａ〜ｇも確実に接続状態とすることが可能となる。
【００４７】
また、カメラボディ３には、ＬＥＤ９１ａ，９１ｂと、これらの発光を制御するＬＥＤドライバ９２と、スピーカ９３と、装着監視タイマー９４とが設けられている。
【００４８】
以下、上記構成の作用について図１４に示すフローチャートに沿って説明する。カメラボディ３へのレンズユニット４の装着を行うとき、先ずユーザはカメラボディ３の電源を投入した後、上述したようにボディ側マウント部１０の溝１５ａ〜ｃの位置にレンズ側バヨネット爪９ａ〜ｃの位置を合わせて挿入し、ベース部材３９とベース部材５０とを接触状態とする。これによって第１及び第２リーフスイッチ６１，６６がオン状態となり、レンズユニット４の装着が開始されたことが検出される。レンズユニット４の装着開始を検出したシステム制御部８５は、装着確認表示窓１９内のＬＥＤ９１ａを緑色に点滅させる。これにより、ユーザは、レンズユニット４が装着開始状態、すなわちレンズユニット４側とカメラボディ側３とが接触状態となったことを認識することができる。
【００４９】
レンズユニット４の装着開始を検出したシステム制御部８５は、さらに第１リーフスイッチ６１のオン／オフ状態の監視を開始するともに、装着監視時間Ｔ１をメモリ７８から読み出し、装着監視タイマー９４を起動状態としてカウントを開始し、この時間のカウントが装着監視時間Ｔ１に到達するまでカウントを継続する。なお、この装着監視タイマー９４のカウント中に第１及び第２リーフスイッチ６１，６６の両方がオン状態からオフ状態に切り換わったときは、装着解除状態が検出される。すなわち、ユーザが上述の接触状態からレンズユニット４の装着を行わずにレンズユニット４を取り外してしまうと、レンズ側マウント部８のベース部材３９がロックピン５２及びクリックピン５３から離れてしまうので、第１リーフスイッチ６１及び第２リーフスイッチ６６の両方がオフ状態となる。この装着解除状態が検出されたとき、システム制御部８５は、ＬＥＤ９１ａを消灯し、レンズユニット４の装着検出を停止する。
【００５０】
一方、上述の装着開始の検出後、装着監視タイマー９４のカウント中に第１リーフスイッチ６１のみがオン状態からオフ状態に切り換わり、第２リーフスイッチ６６がオン状態のままであるとき、レンズユニット４の装着が完了したことが検出される。すなわち、ユーザは上述の接触状態を保持したまま、レンズユニット４をカメラボディ３に対して反時計方向に回転し、所定角度まで到達すると、バヨネット爪１１ａが抜け止め突起部９ｄに接触するとともに、ロックピン５２が係合穴４２に係合してロック状態となる。そしてロックピン５２の移動によって第１リーフスイッチ６１がオフ状態となって、レンズユニット４の装着完了が検出される。このとき、クリックピン５３は、クリック溝４３に当接するが第２リーフスイッチ６６はオン状態のままである。
【００５１】
そして、システム制御部８５は、装着完了が検出されたときの装着監視タイマー９４がカウントした時間が装着監視時間Ｔ１の時間内であれば、レンズユニット４の装着が問題なく完了したものと判定し、ユーザに装着完了の通知を行う。この装着完了の通知手段としては、例えば、スピーカ９３によって音声で通知（例えば、アラーム音のような「ピッ、ピッ」という音）したり、ＬＥＤ９１ａを点滅状態から緑色の点灯状態へと切り換えることでユーザに通知する。また、ＬＣＤ２０に装着完了のメッセージを表示したりする。そして装着完了を通知したシステム制御部８５は、カメラボディ３で選択されているモード設定を確認し、撮影モードが選択されているときには、レンズユニット４を起動状態として、デジタルカメラ２を撮影可能な状態とする。
【００５２】
一方、装着監視タイマーが装着監視時間Ｔ１までカウントを終了してしまい、この間に第１リーフスイッチ６１のオン／オフ状態に変化がなかったときには、レンズユニット４の装着が不完全であることが検出される。すなわち、ユーザが装着動作を行うとき、レンズユニット４の回転を、所定角度まで到達しないまま、中途半端な位置で辞めてしまった場合、第１及び第２リーフスイッチ６１，６６は、オン状態のままであり、レンズユニット４の装着完了は検出されない。よってシステム制御部８５は、この場合、レンズユニット４の装着が不完全状態であることをユーザに通知する。この装着不完全状態の通知手段としては、例えばスピーカ９３による音声（例えば「ビー」というビープ音を出す）、さらに、ＬＥＤ９１ａによる緑色の点滅を停止し、ＬＥＤ９１ｂによる橙色の点滅に切り換えることでユーザに通知を行う。また、ＬＣＤ２０に装着不完全状態を知らせるメッセージ表示などで通知する。
【００５３】
このように、装着完了及び装着不完全状態を通知するとき、ＬＥＤ９１ａ，９１ｂの点灯、点滅と、ＬＣＤ２０のメッセージとの両方を表示するようにすれば、ユーザから見てカメラボディ３が向きがどのようなときでも表示を確認することができ、レンズユニット４の装着状態を確実に知ることができる。
【００５４】
なお、上記実施形態においては、カメラボディ３の電源をオン状態とした後、レンズユニット４の装着を行うときの装着完了、及び装着不完全状態を検出する場合を例に上げて説明しているが、本発明はこれに限らず、カメラボディ３の電源がオフ状態のまま、レンズユニットの装着を行ない、リーフスイッチ６１，６６で装着開始を検出したときに、カメラボディ側の電源をオン状態とし、上記と同様のシーケンスを行って、装着完了、又は装着不完全状態を通知した後に、電源をオフ状態とするようにカメラボディ側の制御を行うようにしてもよい。
【００５５】
上記実施形態においては、レンズユニット４の装着開始及び装着完了の検出をともにリーフスイッチのみで行っているが本発明はこれに限らず、装着検出部８９で装着完了の検出を行なうことによって、装着完了や装着不完全状態の通知を行うようにしてもよい。なお、この場合、レンズユニット４の装着開始の検出は上記実施形態と同様にロックピン５２の移動に連動するリーフスイッチで検出し、装着が開始された状態、すなわちレンズ側マウント部８とボディ側マウント部１０の接触状態から装着検出部８９による装着完了の検出を監視する。そして、装着監視時間Ｔ１内に装着完了が検出されれば装着完了を通知し、装着完了時間Ｔ１内に検出されなければ装着が不完全状態であることを通知する。これ以降のシーケンスは上記実施形態と同様である。
【００５６】
また、上記実施形態においては、レンズユニット４の装着開始及び装着完了を検出する検出手段、装着監視時間をカウントする装着監視タイマ、装着完了及び装着不完全状態を通知する通知手段、及びこれらを制御する制御手段をカメラボディ側に設けているが、これに限らず、レンズユニット側に設けるようにしてもよい。
【００５７】
上記実施形態では、レンズユニットが着脱自在なレンズ交換式のデジタルカメラを用いて説明を行ったが、これに限らず、カメラボディとマウント部によって接続を行ない、そのマウント部に設けた接点及び接続端子を介して電気信号の送受信を行う付属機器であれば良く、例えば、カメラボディ側に保存されたデータを取り込み、内部に組み込まれたハードディスクなどに記憶させる記憶装置や、無線でデータを送受信し、そのデータをカメラボディ側に保存したり、またカメラボディ側のデータを別の電子機器に送ったりする無線ユニットや、レンズユニットとカメラボディとの間に挟まれて固定される中間アダプタなどにも本発明を適用することができる。さらには、デジタルカメラ以外のカメラ、例えば、ビデオカメラにおいても本発明を適用することができる。
【図面の簡単な説明】
【００５８】
【図１】本発明を実施したデジタルカメラでレンズユニットを装着状態としたときの外観斜視図である。
【図２】レンズユニットを取り外した状態のデジタルカメラの外観斜視図である。
【図３】デジタルカメラの背面図である。
【図４】レンズユニットのマウント部の構成を示す分解斜視図である。
【図５】レンズユニットの背面図である。
【図６】図５のＡ−Ａ線に沿って切断した要部断面図である。
【図７】図５のＢ−Ｂ線に沿って切断した要部断面図である。
【図８】カメラボディのマウント部を示す斜視図である。
【図９】カメラボディのマウント部を示す正面図である。
【図１０】端子基板を示す正面図である。
【図１１】カメラボディ側マウント部周辺の構成を示す斜視図である。
【図１２】図９のＣ−Ｃ線に沿って切断した要部断面図である。
【図１３】デジタルカメラの電気的構成を示すブロック図である。
【図１４】デジタルカメラがレンズユニットの装着完了及び装着不完全状態を検出及び通知するときのシーケンスを示すフローチャートである。
【符号の説明】
【００５９】
２  デジタルカメラ
３  カメラボディ
４  レンズユニット
８  レンズ側マウント部
９ａ〜ｃ  レンズ側バヨネット爪
１０  ボディ側マウント部
１１ａ〜ｃ  ボディ側バヨネット爪
２４  撮影レンズ
２５  ＣＣＤ
４６ａ〜ｈ  接点
５５ａ〜ｈ  接続端子
６１，６６  リーフスイッチ
【図１】
2006276469.tif 000003
【図２】
2006276469.tif 000004
【図３】
2006276469.tif 000005
【図４】
2006276469.tif 000006
【図５】
2006276469.tif 000007
【図６】
2006276469.tif 000008
【図７】
2006276469.tif 000009
【図８】
2006276469.tif 000010
【図９】
2006276469.tif 000011
【図１０】
2006276469.tif 000012
【図１１】
2006276469.tif 000013
【図１２】
2006276469.tif 000014
【図１３】
2006276469.tif 000015
【図１４】
2006276469.tif 000016